【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
遊技球が所定の入賞部に入賞した場合に、変動入賞装置の可動部材を開閉動作させる補助遊技を実行し、該補助遊技において変動入賞装置に受け入れられた遊技球が特定の入賞部に入賞したことに基づいて可動部材を複数回開閉動作させる特別遊技を発生する遊技機において、
前記補助遊技が行われている間に前記所定の入賞部へ遊技球が複数入賞した場合、前記可動部材が開閉動作する可動時間情報を累計的に記憶する可動時間情報記憶手段と、
前記補助遊技が終了した場合に、前記可動時間情報記憶手段の累積可動時間が経過するまで前記可動部材の開放を連続させることで記憶補助遊技を実行する記憶補助遊技制御手段と、
を備えたことを特徴とする遊技機。
【手続補正２】
【補正対象書類名】明細書
【補正対象項目名】０００１
【補正方法】変更
【補正の内容】
【０００１】
【発明の属する技術分野】
本発明は、遊技球が所定の入賞部に入賞した場合に、変動入賞装置の可動部材を開閉動作させる補助遊技を実行し、該補助遊技において変動入賞装置に受け入れられた遊技球が特定の入賞部に入賞したことに基づいて可動部材を複数回開閉動作させる特別遊技を発生する遊技機に関する。


【手続補正３】
【補正対象書類名】明細書
【補正対象項目名】０００６
【補正方法】変更
【補正の内容】
【０００６】
【課題を解決するための手段】
上記目的達成のため、請求項１記載の発明は、遊技球が所定の入賞部に入賞した場合に、変動入賞装置の可動部材を開閉動作させる補助遊技を実行し、該補助遊技において変動入賞装置に受け入れられた遊技球が特定の入賞部に入賞したことに基づいて可動部材を複数回開閉動作させる特別遊技を発生する遊技機において、
前記補助遊技が行われている間に前記所定の入賞部へ遊技球が複数入賞した場合、前記可動部材が開閉動作する可動時間情報を累計的に記憶する可動時間情報記憶手段と、
前記補助遊技が終了した場合に、前記可動時間情報記憶手段の累積可動時間が経過するまで前記可動部材の開放を連続させることで記憶補助遊技を実行する記憶補助遊技制御手段と、
を備えたことを特徴とする。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
【発明の実施の形態】
以下、本発明の実施の形態をパチンコ遊技機に適用した例について説明する。最初に、本発明の区分について説明すると、本発明は以下のように分けて考えるようにする。
（ａ）発明Ａ
発明Ａとは、所定の入賞部（すなわち、後述の第２始動入賞口１５、第１始動入賞口１６、１７のこと。以下、単に始動口ということがある）に遊技球が入賞した場合に、当該始動口に対応して可動部材の動作回数が回数情報として予め設定され、かつその回数情報に対応して可動部材が所定のパターンで動作し、始動口に遊技球が入賞することで、すぐに回数情報を記憶できるようになっている遊技機を対象とする発明である。
以下に説明する第１の実施の形態は、基本的に発明Ａを具体的に実現する実施の形態である。


【手続補正１３】
【補正対象書類名】明細書
【補正対象項目名】００１７
【補正方法】変更
【補正の内容】
【００１７】
（ｂ）発明Ｂ
発明Ｂとは、所定の入賞部に遊技球が入賞した場合に、当該始動口に対応して可動部材の動作時間が可動時間情報として予め設定され、かつその可動時間情報に対応して可動部材が所定のパターンで動作し、始動口に遊技球が入賞することで、すぐに可動時間情報を記憶できるようになっている遊技機を対象とする発明である。
以下に説明する第２の実施の形態は、基本的に発明Ｂを具体的に実現する実施の形態である。
（ｃ）発明Ｃ
発明Ｃとは、所定の入賞部に遊技球が入賞した場合に、当該始動口に対応して可動部材が所定のパターンで動作（つまり補助遊技を実行）するが、上記発明Ａおよび発明Ｂのように始動口に対応して回数情報あるいは可動時間情報が予め設定されているものではなく、始動口に応じて単に可動部材の動作回数が定められているだけのものであり、そのため、補助遊技を行う際には、始動口への入賞に対して実行され得る所定のパターンを可動部材の動作回数に変換した回数情報として記憶するようになっている遊技機を対象とする発明である。
したがって、始動口に遊技球が入賞すると、可動部材の動作回数を変換して回数情報とした後に、その回数情報に基づいて始動記憶が行われ、補助遊技が実行されることになる。
発明Ｃは、基本的に請求項１記載の発明に対応するものであり、以下に説明する第７の実施の形態は、基本的に発明Ｃを具体的に実現する実施の形態である。


【手続補正１４】
【補正対象書類名】明細書
【補正対象項目名】００１８
【補正方法】変更
【補正の内容】
【００１８】
（ｄ）発明Ｄ
発明Ｄとは、所定の入賞部に遊技球が入賞した場合に、当該始動口に対応して可動部材が所定のパターンで動作（つまり補助遊技を実行）するが、上記発明Ａおよび発明Ｂのように始動口に対応して回数情報あるいは可動時間情報が予め設定されているものではなく、始動口に応じて単に可動部材が動作することとなる可動時間が定められているだけのものであり、そのため、補助遊技を行う際には、始動口への入賞に対して実行され得る所定のパターンを可動部材の可動時間に変換した可動時間情報として記憶するようになっている遊技機を対象とする発明である。
したがって、始動口に遊技球が入賞すると、可動部材が動作することとなる可動時間を変換して可動時間情報とした後に、その可動時間情報に基づいて始動記憶が行われ、補助遊技が実行されることになる。
発明Ｄは、基本的に請求項１記載の発明に対応するものであり、以下に説明する第８の実施の形態は、基本的に発明Ｃを具体的に実現する実施の形態である。


【手続補正１５】
【補正対象書類名】明細書
【補正対象項目名】００１９
【補正方法】変更
【補正の内容】
【００１９】
＜本発明の第１の実施の形態＞
まず、発明Ａを具体的に実現する本発明の第１の実施の形態から説明する。
Ａ．遊技盤の構成
図１はパチンコ遊技を行う遊技機の遊技盤１を示す正面図である。図１において、遊技領域の周囲にはレール１１が配置されており、レール１１内側のほぼ中央部には変動入賞装置１２が、この変動入賞装置１２の左右側方には一般入賞口１３、１４が、変動入賞装置１２の直下には２回開きの第２始動入賞口１５が、第２始動入賞口１５の左右には１回開きの第１始動入賞口１６、１７がそれぞれ配置されている。


【手続補正１６】
【補正対象書類名】明細書
【補正対象項目名】００４８
【補正方法】変更
【補正の内容】
【００４８】
また、始動遊技制御情報表示部３４の上部には「開放回数」という文字が描かれており、これは１回の補助遊技にて可動部材１２ａ、１２ｂが動作することとなる回数（ここでは累積の開放回数）を報知するために、表示するものである。さらに、その下側には［１］〜［４］の数字が描かれており、これは上限が４個の範囲内で行われる始動記憶に基づき次の１回の補助遊技にて可動部材１２ａ、１２ｂが動作することとなる累積回数を報知するために、１〜４の範囲で始動記憶表示部５２が点灯することを遊技者に示すものである。
このように始動遊技制御情報表示部３４によって次の１回の補助遊技にて可動部材１２ａ、１２ｂが動作することとなる累積の開放回数を報知することにより、記憶補助遊技で実行される可動部材１２ａ、１２ｂの動作状況を実行される前に遊技者が容易に把握可能であり、よって、遊技の興趣を十分に堪能することができる。


【手続補正１７】
【補正対象書類名】明細書
【補正対象項目名】００５５
【補正方法】変更
【補正の内容】
【００５５】
＜本発明の第２の実施の形態＞
次に、本発明の第２の実施の形態について説明する。第２の実施の形態は、発明Ｂを実施する場合の例である。すなわち、始動口に対応して可動部材１２ａ、１２ｂの動作時間が可動時間情報として予め設定されており、かつその可動時間情報に対応して可動部材１２ａ、１２ｂが所定のパターンで動作し、始動口に遊技球が入賞すると、すぐに可動時間情報を記憶できるようになっている遊技機への適用例である。
【手続補正１８】
【補正対象書類名】明細書
【補正対象項目名】００６６
【補正方法】変更
【補正の内容】
【００６６】
＜本発明の第４の実施の形態＞
次に、本発明の第４の実施の形態について説明する。第４の実施の形態は、発明Ａを実施する場合の他の例である。
図９は、本発明の第４の実施の形態における可動部材１２ａ、１２ｂの作動タイミングを説明する図である。
第４の実施の形態では、遊技制御装置１０１が複数の始動記憶に基づいて次回の補助遊技を実行する場合、補助遊技で可動部材１２ａ、１２ｂを動作させる上限回数を設定し、記憶された累積した回数情報に基づいて次の補助遊技を実行する場合には、累積した回数情報を上記上限回数で区切って（分割して）実行することが行われる。
この場合、遊技制御装置１０１は記憶補助遊技制御手段を構成し、記憶補助遊技制御手段は補助遊技を実行する場合の可動部材を動作させる上限回数を設定し、回数情報記憶手段に記憶された累積した回数情報に基づいて次の補助遊技を実行する場合に、累積した回数情報を上限回数で区切って実行するという機能を実現する。


【手続補正１９】
【補正対象書類名】明細書
【補正対象項目名】００７０
【補正方法】変更
【補正の内容】
【００７０】
＜本発明の第５の実施の形態＞
次に、本発明の第５の実施の形態について説明する。第５の実施の形態は、発明Ａ（あるいは発明Ｂ）を実施する場合の変形例である。
第５の実施の形態では、変動入賞装置１２が遊技球を貯留可能な貯留部を備える構成とし、遊技制御装置１０１によって記憶補助遊技制御手段を実現し、この記憶補助遊技制御手段は、累積して記憶された可動部材１２ａ、１２ｂの回数情報（あるいは可動時間情報でもよい）により記憶補助遊技を実行する場合には、変動入賞装置１２の貯留部を最初に貯留状態にして補助遊技期間中に継続して貯留させるような制御を行う構成である。
このような制御に行えば、通常の補助遊技に比べて、変動入賞装置１２が遊技球を貯留可能な貯留部を備えている分だけ球の貯留量が増加するので、いわゆるＶ入賞率が高まり、記憶補助遊技の方が遊技者にとって有利な遊技状態とすることが可能になる。したがって、記憶補助遊技で遊技者の興趣を高めることができる。


【手続補正２０】
【補正対象書類名】明細書
【補正対象項目名】００７１
【補正方法】変更
【補正の内容】
【００７１】
＜本発明の第６の実施の形態＞
次に、本発明の第６の実施の形態について説明する。第６の実施の形態は、発明Ａ（あるいは発明Ｂ）を実施する場合の変形例である。
第６の実施の形態では、遊技制御装置１０１が回数情報記憶手段および記憶補助遊技制御手段を構成し、この回数情報記憶手段は、記憶補助遊技制御手段により補助遊技が実行される直前に所定の入賞部（第１始動入賞口１６、１７、第２始動入賞口１５）に遊技球が入賞した場合には、当該入賞に伴う新たな記憶（可動部材１２ａ、１２ｂの回数情報あるいは可動時間情報の何れを記憶する場合でもよい）は、次回の補助遊技動作に関わる情報の記憶値に加算させる制御を行う構成である。
例えば、第１の補助遊技が実行される直前に始動入賞が１個あった場合には、当該始動入賞に伴う新たな記憶を第１の補助遊技にて累積せず、その次の補助遊技（すなわち、第２の補助遊技）の動作に関わる情報の記憶値に累積加算するものである。


【手続補正２１】
【補正対象書類名】明細書
【補正対象項目名】００７６
【補正方法】変更
【補正の内容】
【００７６】
このように、第７の実施の形態では所定の入賞部に遊技球が入賞した場合に、当該始動口に対応して可動部材１２ａ、１２ｂが所定のパターンで動作（補助遊技を実行）するが、前述した発明Ａおよび発明Ｂのように始動口に対応して回数情報あるいは可動時間情報が予め設定されているというタイプの遊技機ではなく、始動口に応じて単に可動部材１２ａ、１２ｂの動作回数が定められているだけというタイプの遊技機に対して適用され、補助遊技を行う際には、始動口への入賞に対して実行され得る所定のパターンを可動部材１２ａ、１２ｂの動作回数に変換した回数情報として記憶し、記憶した回数情報に基づいて可動部材１２ａ、１２ｂを連続的に動作させることで所定の入賞部への入賞に対して実行される補助遊技が消化される。
したがって、始動口に応じて単に可動部材１２ａ、１２ｂの動作回数が定められているだけの遊技機であっても、上記実施の形態と同様に、記憶されている１始動入賞記憶毎に補助遊技を実行する場合に比べて、次の補助遊技を行った後に直ちに普段遊技状態（記憶の無い状態）に復帰でき、いわゆる入賞記憶消化遊技に対する違和感を極力防ぐことができる。また、可動部材１２ａ、１２ｂの連続開放時間が始動入賞に伴う記憶により増加するので、遊技者にとっては通常に比べ変動入賞装置１２内に入賞しやすい印象を得ることができ、遊技の興趣を高めることができるという効果がある。


【手続補正２２】
【補正対象書類名】明細書
【補正対象項目名】００７８
【補正方法】変更
【補正の内容】
【００７８】
＜本発明の第８の実施の形態＞
次に、本発明の第８の実施の形態について説明する。第８の実施の形態は、発明Ｄを実施する場合の例であり、本発明の請求項１記載の発明を具体的に実現する例である。
第８の実施の形態では、遊技制御装置１０１が可動時間情報記憶手段および記憶補助遊技制御手段を構成し、補助遊技を構成する可動部材１２ａ、１２ｂを動作させる所定のパターンは、所定の入賞部（第１始動入賞口１６、１７、第２始動入賞口１５）に対応して可動部材を動作させる回数を異ならせたパターンからなっている。異ならせたパターンとは、可動部材１２ａ、１２ｂの１回開き、および２回開きのように、異なる複数種類の開放パターンがあるということである。そして、第８の実施の形態の可動時間情報記憶手段は、所定の入賞部への遊技球の入賞に対して、実行され得る所定のパターンを可動部材１２ａ、１２ｂが動作することとなる可動時間に変換した可動時間情報として記憶し、記憶補助遊技制御手段は可動時間情報記憶手段の可動時間情報に基づいて、可動部材１２ａ、１２ｂを連続的に動作させることで所定の入賞部への入賞に対して実行される補助遊技を消化する記憶補助遊技を実行する。


【手続補正２３】
【補正対象書類名】明細書
【補正対象項目名】００８１
【補正方法】変更
【補正の内容】
【００８１】
このように、第８の実施の形態では所定の入賞部に遊技球が入賞した場合に、当該始動口に対応して可動部材１２ａ、１２ｂが所定のパターンで動作（補助遊技を実行）するが、前述した発明Ａおよび発明Ｂのように始動口に対応して回数情報あるいは可動時間情報が予め設定されているというタイプの遊技機ではなく、始動口に応じて単に可動部材１２ａ、１２ｂが動作することとなる可動時間が定められているだけというタイプの遊技機に対して適用され、補助遊技を行う際には、始動口への入賞に対して実行され得る所定のパターンにおいて可動部材１２ａ、１２ｂが動作することとなる可動時間に変換した可動時間情報として記憶し、記憶した可動時間情報に基づいて可動部材１２ａ、１２ｂを連続的に動作させることで所定の入賞部への入賞に対して実行される補助遊技が消化される。
したがって、始動口に応じて単に可動部材１２ａ、１２ｂの可動時間が定められているだけの遊技機であっても、第７の実施の形態と同様に、記憶されている１始動入賞記憶毎に補助遊技を実行する場合に比べて、次の補助遊技を行った後に直ちに普段遊技状態（記憶の無い状態）に復帰でき、いわゆる入賞記憶消化遊技に対する違和感を極力防ぐことができる。また、可動部材１２ａ、１２ｂの連続開放時間が始動入賞に伴う記憶により増加するので、遊技者にとっては通常に比べ変動入賞装置１２内に入賞しやすい印象を得ることができ、遊技の興趣を高めることができるという効果がある。


【手続補正２４】
【補正対象書類名】明細書
【補正対象項目名】００８４
【補正方法】変更
【補正の内容】
【００８４】
【発明の効果】
請求項１記載の発明によれば、補助遊技が行われている間に所定の入賞部へ遊技球が複数入賞した場合、可動部材が開閉動作する可動時間情報を累計的に記憶する可動時間情報記憶手段と、前記補助遊技が終了した場合に、前記可動時間情報記憶手段の累積可動時間が経過するまで前記可動部材の開放を連続させることで記憶補助遊技を実行する記憶補助遊技制御手段と、を備えたので、遊技者にとっては通常に比べ変動入賞装置内に入賞しやすい印象を得ることができ、遊技の興趣を高めることができるという効果がある。


【手続補正２５】
【補正対象書類名】明細書
【補正対象項目名】００８５
【補正方法】削除
【補正の内容】
【手続補正２６】
【補正対象書類名】明細書
【補正対象項目名】００８６
【補正方法】削除
【補正の内容】
【手続補正２７】
【補正対象書類名】明細書
【補正対象項目名】００８７
【補正方法】削除
【補正の内容】
【手続補正２８】
【補正対象書類名】明細書
【補正対象項目名】００８８
【補正方法】削除
【補正の内容】
【手続補正２９】
【補正対象書類名】明細書
【補正対象項目名】００８９
【補正方法】削除
【補正の内容】
【手続補正３０】
【補正対象書類名】明細書
【補正対象項目名】００９０
【補正方法】削除
【補正の内容】
【手続補正３１】
【補正対象書類名】明細書
【補正対象項目名】００９１
【補正方法】削除
【補正の内容】
【手続補正３２】
【補正対象書類名】明細書
【補正対象項目名】００９２
【補正方法】削除
【補正の内容】
【手続補正３３】
【補正対象書類名】明細書
【補正対象項目名】００９３
【補正方法】削除
【補正の内容】
【手続補正３４】
【補正対象書類名】明細書
【補正対象項目名】００９４
【補正方法】削除
【補正の内容】
【手続補正３５】
【補正対象書類名】明細書
【補正対象項目名】００９５
【補正方法】削除
【補正の内容】
【手続補正３６】
【補正対象書類名】明細書
【補正対象項目名】００９６
【補正方法】削除
【補正の内容】